(57)【要約】  【課題】磯根資源の成長段階に応じた適切な広さの隠れ場所、生育場所を形成して磯根資源が長期に亘り定住することができる増殖礁を構成するための磯根資源増殖ブロックを提供するとともに、当該磯根資源増殖ブロックを用いて他の魚類や藻類の増殖にも適した増殖礁を提供する。  【解決手段】磯根資源増殖ブロック２を、主体となるコンクリートブロックからなる本体部２１の外面２１ｃに一方向へ傾斜するテーパ面２１ｅを形成したものとし、このテーパ面２１ｅを有する外面２１ｃ同士を対面させて同種の磯根資源増殖ブロック２を配置することで、磯根資源増殖ブロック２間に、入口が磯根資源の稚体の通過を許容する程度に狭く出口が磯根資源の成体が定住し得る程度に広い磯根資源増殖空間Ｓ１を形成してなる増殖礁１を構成する。【選択図】図１
2005210976.tif 000002
【特許請求の範囲】
【請求項１】
磯根資源を稚体から成体まで生育させるために利用される増殖用ブロックであって、
コンクリートブロックからなる本体部を主体とし、当該本体部の外面に一方向へ傾斜するテーパ面を形成し、このテーパ面を有する外面同士を対面させて隣接配置される同種の磯根資源増殖ブロックとの間に、入口が前記磯根資源の稚体の通過を許容する程度に狭く出口が前記磯根資源の成体が定住し得る程度に広い磯根資源増殖空間を形成し得るように構成してなることを特徴とする磯根資源増殖ブロック。
【請求項２】
前記磯根資源増殖空間の入口側となる本体部の外面に、当該入口側の磯根資源増殖空間の幅寸法にほぼ合致し、隣接配置される同種の磯根資源増殖ブロックの本体部における外面の前記磯根資源増殖空間の入口側となる部位と対向する突起部を形成している請求項１記載の磯根資源増殖ブロック。
【請求項３】
前記突起部は、頂部を隣接配置される同種の磯根資源増殖ブロックの本体部における前記磯根資源増殖空間の入口側となる外面に対向させた部分球形状をなすものである請求項２記載の磯根資源増殖ブロック。
【請求項４】
前記本体部の下端部に、他の部材に取り付けるための取着部を形成している請求項１、２又は３記載の磯根資源増殖ブロック。
【請求項５】
前記取着部は、他の部材に対して軸着するための軸部材である請求項４記載の磯根資源増殖ブロック。
【請求項６】
前記本体部の上端部に、他の磯根資源増殖ブロックの軸部材と係合し当該他の磯根資源増殖ブロックを載置した状態で取り付けるための軸受部を形成している請求項５記載の磯根資源増殖ブロック。
【請求項７】
前記本体部の上端部に、他の磯根資源増殖ブロックを載置した状態で取り付けるための受け部を形成している請求項１、２、３又は４記載の磯根資源増殖ブロック。
【請求項８】
前記本体部の上端部に、藻類を増殖させる藻類増殖部材を取り付けるための取付部を形成している請求項１、２、３、４、５、６、７又は８記載の磯根資源増殖ブロック。
【請求項９】
前記磯根資源増殖空間が本体部の上端側に入口を有し下端側に出口を有するように、前記テーパ面を本体部の外面において上下に傾斜し、且つ該テーパ面の上端側を下端側よりも外方に位置付けるように形成している請求項１、２、３、４、５、６、７又は８記載の磯根資源増殖ブロック。
【請求項１０】
前記本体部のコンクリート組成物に、石炭灰を含有している請求項１、２、３、４、５、６、７、８又は９記載の磯根資源増殖ブロック。
【請求項１１】
請求項１乃至１０記載の磯根資源増殖ブロックを複数備えてなり、隣接する磯根資源増殖ブロックをそれらの外面に形成されたテーパ面同士が対面するように平面的に整列配置するとともに、これら隣接する磯根資源増殖ブロック同士の間に、入口が前記磯根資源の稚体の通過を許容する程度に狭く出口が前記磯根資源の成体が定住し得る程度に広い磯根資源増殖空間を形成していることを特徴とする増殖礁。
【請求項１２】
前記複数の磯根資源増殖ブロックは、平面視概略正方形状をなすものであり、これら複数の磯根資源増殖ブロックを升目状に整列配置している請求項１１記載の増殖礁。
【請求項１３】
平面的に整列配置した複数の磯根資源増殖ブロックの一部又は全部の上面側に、同種の磯根資源増殖ブロックを階層状に重積した状態で取り付けている請求項１１又は１２記載の増殖礁。
【請求項１４】
上面側が開放された前記磯根資源増殖ブロックに、藻類を増殖させる藻類増殖部材を取り付けている請求項１１、１２又は１３記載の増殖礁。
【請求項１５】
前記藻類増殖部材は、コンクリートブロックを主体としてなるものであり、この藻類増殖部材のコンクリート組成物として、石炭灰を含有している請求項１４記載の増殖礁。
【請求項１６】
前記複数の磯根資源増殖ブロックを平面的に整列配置し得る配置部を形成した台座を具備してなり、当該台座の配置部に複数の磯根資源増殖ブロックを取り付けている請求項１１、１２、１３、１４又は１５記載の増殖礁。
【請求項１７】
前記磯根資源増殖ブロックは、その本体部における下端部に、前記台座に取り付けるための取着部を形成したものであり、前記台座における配置部に、磯根資源増殖ブロックを載置した状態で取着部を取り付けるための受け部を形成している請求項１６記載の増殖礁。
【請求項１８】
前記取着部は、他の部材に対して軸着するための軸部材であって、前記受け部は、前記軸部材と係合して配置部に磯根資源増殖ブロックを載置した状態で取り付けるための軸受部材である請求項１７記載の増殖礁。
【請求項１９】
前記台座に、配置部に平面的に整列配置した複数の磯根資源増殖ブロックのうち端部に配置される磯根資源増殖ブロックに対してその位置決めを行うとともに固定する位置決め部を形成している請求項１６、１７又は１８記載の増殖礁。
【請求項２０】
前記台座の下端部に、複数の脚部を形成している請求項１６、１７、１８又は１９記載の増殖礁。
【請求項２１】
前記配置部は、前記台座の上端部側において並列状又は格子状をなすように形成したものであり、その配置部に前記磯根資源増殖空間が上方に前記入口を有し下方に前記出口を有するように前記磯根資源増殖ブロックを配置し、該磯根資源増殖空間と、前記配置部の下面側における前記脚部の内側に魚類の隠れ場所となるように形成される魚礁空間とを上下に連通させている請求項２１記載の増殖礁。
【請求項２２】
磯根資源増殖ブロック、又は磯根資源増殖ブロック及び藻類増殖部材を上方及び側方から覆い、且つ通水性を有する防護部材を具備している請求項１１、１２、１３、１４、１５、１６、１７、１８、１９、２０又は２１記載の増殖礁。
【発明の詳細な説明】
【技術分野】
【０００１】
本発明は、海底において磯根資源を稚体から成体まで生育させるために利用される増殖用ブロック、並びに当該磯根資源増殖ブロックを利用して構成され磯根資源のみならず藻類や魚類をも増殖するために利用される増殖礁に関するものである。
【背景技術】
【０００２】
アワビ、トコブシ、サザエ、ウニ、イセエビ等の有用磯根資源を生育、増殖させて漁獲するための増殖礁が従来より各種案出されている。このような増殖礁のうち、比較的単純な構造のものとしては、複数の板状コンクリート板をイセエビが身を隠すのに好適な寸法の間隙を設けて多段式に設置したイセエビ育成礁（特許文献１参照）が挙げられ、比較的複雑な構造のものとしては、広い設置面を有する台座上に、磯根資源が通過できる程度の環状の通路及び放射状の通路を組み合わせて形成したコンクリート板からなる磯根資源増殖礁を載置したもの（特許文献２参照）が挙げられる。特に後者のものは、台座上の磯根資源増殖礁の上方に、磯根資源の餌となるプランクトン等を培養できる餌料培養礁や藻類を増殖させるための藻類増殖礁等を積層して配置することで、礁全体として磯根資源のみならず餌料生物藻類、魚類を増殖させる多機能型増殖礁を構成することができるようになっている。
【特許文献１】特開昭５９−２１３３３８号公報
【特許文献２】特開２００２−３３５８０６号公報
【発明の開示】
【発明が解決しようとする課題】
【０００３】
一般に磯根資源の養殖の際には、磯根資源は幼生から体長数ｃｍの稚体（アワビやトコブシやサザエの稚貝、稚ウニ、稚エビ等）まで成長した段階で海に放流されるが、放流された磯根資源の稚体は、それらを餌とするタコやヒトデ等の外敵が入り込めないような岩礁の小さな隙間に隠れており、その後の成長の段階に応じて自己の体の大きさに合う広い空間を求めて順次移動する。ところが、上述したようなイセエビ育成礁や多機能型増殖礁の構成要素である磯根資源増殖礁は、それらに形成された間隙ないし通路が全体に亘りほぼ均等な広さであるため、磯根資源の成体が身を隠すには好適であるものの、稚体が身を隠すには広すぎてタコの足やヒトデに簡単に捕まってしまう虞があって、磯根資源を稚体から成体まで成長させてその場で定住させるには必ずしも適しているとは言い難い。また、海底に沈設して使用されるこの種の増殖礁は、重量や耐久性等の観点からコンクリート製であるのが通例であるが、型枠を用いて製造される巨大なコンクリート製品では、製造の精度等の観点からは稚体の体長に適した小さな空間を形成するのは困難であるという問題がある。さらに、上述のイセエビ育成礁において、複数のコンクリート板を上下に交互に傾斜させて積層すれば、一方を狭く開放し他方をより広く開放した間隙が得られるため、その間隙内において磯根資源が成長段階に応じた広さの箇所に定住できるとも考えられるが、現実問題としてこのような巨大なコンクリート板を精度よく傾斜させて海底に設置するのは非常に困難である。
【０００４】
そこで本発明は、以上のような問題に鑑みて、磯根資源の成長段階に応じた適切な広さの隠れ場所を形成して磯根資源が長期に亘り定住することができる増殖礁を構成するための磯根資源増殖ブロックを提供するとともに、当該磯根資源増殖ブロックを用いて構成され、磯根資源のみならず他の魚類や藻類の増殖にも適した増殖礁を提供しようとするものである。
【課題を解決するための手段】
【０００５】
すなわち、本発明に係る磯根資源増殖ブロックは、アワビ、トコブシ、サザエ、ウニ、イセエビ等の磯根資源を稚体から成体まで生育させるために利用される増殖用ブロックであって、コンクリートブロックからなる本体部を主体とし、当該本体部の外面に一方向へ傾斜するテーパ面を形成し、このテーパ面を有する外面同士を対面させて隣接配置される同種の磯根資源増殖ブロックとの間に、入口が磯根資源の稚体の通過を許容する程度に狭く出口が磯根資源の成体が定住し得る程度に広い磯根資源増殖空間を形成し得るように構成してなることを特徴とするものである。
【０００６】
このような構成の磯根資源増殖ブロックを複数並べた状態で海底に沈設すると、隣接する磯根資源増殖ブロックのテーパ面を有する各外面同士の間に、一方に狭く開口する入口と他方に広く開口する出口を有する磯根資源増殖空間が形成される。そして、入口側を磯根資源の稚体の体長に適した広さにするとともに、出口側を磯根資源の成体の体長に適した程度の広さに設定することで、磯根資源は稚体の間は入口側においてタコやヒトデ等の外敵から身を守りつつ成長し、その成長段階に応じて徐々に出口側に移動して、この磯根資源増殖空間に定住するようになり、このように成長した磯根資源は、出口側から漁獲することができるので、磯根資源の成長や増殖に適し、且つその漁場を長期に亘り維持することが可能な優れた増殖礁を得ることが可能となる。さらに、入口と出口を通じて海水が磯根資源増殖空間を流通するため、磯根資源に新鮮な海水を供給することもできる。また、磯根資源増殖ブロックをコンクリート製品として製造する場合には、単独の磯根資源増殖ブロックには稚体の体長に対応した狭いスリットを形成する必要がなく、外面にテーパ面を形成しておくだけで、相互に隣接する磯根資源増殖ブロック間に上述のような磯根資源増殖空間を形成することが可能であるため、斯かる磯根資源増殖ブロックの製造も簡便に行うことができることとなる。なお、本発明においては、磯根資源増殖空間の入口と出口の方向性、すなわち入口及び出口が上下に開口しているか、水平方向に開口しているか、或いは斜めに開口しているかは特に限定されるものではない。
【０００７】
このような磯根資源増殖ブロックを複数用いて磯根資源の増殖礁を構成する場合、上述のように入口側から出口側へ徐々に広さが拡大するような磯根資源増殖空間を容易に形成できるようにするためには、磯根資源増殖空間の入口側となる本体部の外面に、当該入口側の磯根資源増殖空間の幅寸法にほぼ合致し、隣接配置される同種の磯根資源増殖ブロックの本体部における外面の前記磯根資源増殖空間の入口側となる部位と対向する突起部を形成することが望ましい。すなわち、この突起部をガイドとして隣の磯根資源増殖ブロックを配置していけば、適正な磯根資源増殖空間を形成しつつ順次磯根資源増殖ブロックの設置を行うことができ、しかもその設置時には突起部に本体部の防護としての機能をも発揮させることができるため、本体部の破損を防止することが可能となる。なお、磯根資源増殖ブロックの設置時における滑らかなガイドとして機能しつつ本体部の破損防止にも役立つ突起部の形状としては、頂部を隣接配置される同種の磯根資源増殖ブロックの本体部における磯根資源増殖空間の入口側となる外面に対向させた部分球形状をなすものを挙げることができる。
【０００８】
また、磯根資源増殖ブロックを海底に安定設置して、増殖礁としての永続性を実現するには、磯根資源増殖ブロックを海底に沈設される他の部材に取り付けておくのがよいと考えられる。そのための構成としては、本体部の下端部に、他の部材に取り付けるための取着部を設けるとよい。ここで、他の部材には、例えば台座となるような大きなコンクリートブロックや岩礁が該当するのは勿論であるが、磯根資源増殖ブロックを上下に重層する場合には下層側の磯根資源増殖ブロックが該当する。
【０００９】
さらに、磯根資源増殖ブロックの簡便な取り付けを行うには、取着部を、他の部材に対して軸着するための軸部材とすることが好ましい。このように取着部として軸部材を適用した場合、特に上述のように磯根資源増殖ブロックを上下に積層して増殖礁を形成する際には、本体部の上端部に、上側の磯根資源増殖ブロックの軸部材と係合し当該他の磯根資源増殖ブロックを載置した状態で取り付けるための軸受部を設けるとよい。
【００１０】
なお、このような軸部材と軸受部との係合関係に限られず、本体部の上端部に、他の磯根資源増殖ブロックを載置した状態で取り付けるための適宜の受け部を設けることで、磯根資源増殖ブロックを上下に積み重ねることは可能である。
【００１１】
磯根資源に餌料と更なる隠れ場所を好適に供給するには、磯根資源増殖ブロックのごく近くに藻類を繁茂させることが好ましい。これを容易に実現するための磯根資源増殖ブロックとしては、本体部の上端部に、藻類を増殖させる藻類増殖部材を取り付けるための取付部を形成したものが挙げられる。
【００１２】
特に、稚体から成体への成長に従って岩礁の小さな隙間から海底へと移動する磯根資源の生態を考慮するとともに、磯根資源増殖ブロックの製造や設置の便宜性を考慮すると、磯根資源増殖空間が本体部の上端側に入口を有し下端側に出口を有するように、テーパ面を本体部の外面において上下に傾斜し、且つこのテーパ面の上端側を下端側よりも外方に位置付けるように形成することが望ましい。
【００１３】
さらに、磯根資源増殖ブロック自体が磯根資源の成長に必要なカルシウム成分等を供給することができるようにするには、本体部のコンクリート組成物として、フライアッシュ、クリンカアッシュ、流動床灰等の石炭灰を含有させるとよい。石炭灰は火力発電所から多量に排出される廃棄物であるが、環境保全や廃棄物処理の観点から有効な再利用用途が模索されている。これまでは、微粉炭燃焼ボイラから発生した石炭灰を電気集塵機で捕集したフライアッシュや、ボイラの底部に落下した石炭灰を破砕したクリンカアッシュ等は、コンクリートの一組成としてセメントと共に混合されてきているが、特に加圧流動床燃焼発電方式を利用した石炭火力発電所から排出される「流動床灰（ＰＦＢＣ灰）」は、ボイラに石炭と石灰石とを投入して燃焼させたことにより排出される石炭灰であることからカルシウム化合物の含有量が多く、水と反応すると自硬性を奏するため、セメントの代用品としての用途が着目されている。したがって、これまで廃材とされてきた石炭灰をコンクリート製の磯根資源増殖ブロックの原料として用いれば、その製造価格を低減できるだけでなく、石炭灰の新たな用途を提供することもでき、しかも磯根資源増殖ブロック本来の目的である磯根資源の増殖にも大いに役立つこととなる。
【００１４】
また、本発明に係る増殖礁は、磯根資源増殖ブロックを複数備えてなり、隣接する磯根資源増殖ブロックをそれらの外面に形成されたテーパ面同士が対面するように平面的に整列配置するとともに、これら隣接する磯根資源増殖ブロック同士の間に、入口が前記磯根資源の稚体の通過を許容する程度に狭く出口が磯根資源の成体が定住し得る程度に広い磯根資源増殖空間を形成してなるものである。
【００１５】
このような構成の磯根資源増殖礁であれば、上述の通り複数の磯根資源増殖ブロック間に形成される磯根資源増殖空間において磯根資源を稚体から成体まで適切に成長させて漁獲することができるとともに、斯かる磯根資源増殖ブロックの製造や磯根資源増殖空間の形成も簡便に行うことが可能である。
【００１６】
そして、このような磯根資源増殖礁を形成するために適した複数の磯根資源増殖ブロックとしては、平面視概略正方形状をなすものが挙げられ、これら複数の磯根資源増殖ブロックを升目状に整列配置することで、効率的に磯根資源増殖空間を配した整然とした増殖礁を構成することができる。
【００１７】
さらに、多段階的な磯根資源増殖空間を有する磯根資源増殖礁を得るには、平面的に整列配置した複数の磯根資源増殖ブロックの一部又は全部の上面側に、同種の磯根資源増殖ブロックを階層状に重積した状態で取り付けることが好ましい。
【００１８】
また、他の磯根資源増殖ブロックを載置していない磯根資源増殖ブロックの上面側を有効に利用しつつ、この増殖礁において藻類をも増殖、繁茂させるには、上面側が開放された磯根資源増殖ブロックに、藻類を増殖させる藻類増殖部材を取り付けるとよい。上述の通り、磯根資源増殖空間の上方で繁茂する藻類は、磯根資源の餌料と格好の隠れ場所の供給源となる。なお、藻類増殖部材を磯根資源増殖ブロックに対して着脱可能に取り付けるようにすれば、藻類が枯死するなどして機能を果たさなくなった藻類増殖部材を、新たに藻類を着生させた別の藻類増殖部材と交換することで、磯根資源に新たな餌料と隠れ場所を供給することができる。また、斯かる藻類増殖部材がコンクリートブロックを主体としてなるものである場合には、上述したような磯根資源増殖ブロックの場合と同様に、コンクリート組成物として石炭灰を含有させることができる。
【００１９】
以上のような増殖礁の海底での安定設置を図るためには、この増殖礁を、複数の磯根資源増殖ブロックを平面的に整列配置し得る配置部を形成した台座を具備するものとして、当該台座の配置部に複数の磯根資源増殖ブロックを取り付けることが好適である。
【００２０】
この場合、磯根資源増殖ブロックの台座に対する安定した取付状態を得るためには、磯根資源増殖ブロックの本体部における下端部に、台座に取り付けるための取着部を設け、台座における配置部に、磯根資源増殖ブロックを載置した状態で取着部を取り付けるための受け部を設けるとよい。さらにこの取付作業の簡便化と取付構造の簡素化を図るには、取着部を台座を含む他の部材に対して軸着するための軸部材とし、受け部を軸部材と係合して配置部に磯根資源増殖ブロックを載置した状態で取り付けるための軸受部材とすればよい。
【００２１】
さらに、配置部に平面的に整列配置した複数の磯根資源増殖ブロックのうち端部に配置される磯根資源増殖ブロックに対してその位置決めを行うとともに固定する位置決め部を台座に形成することで、磯根資源増殖ブロックの設置が極めて容易なものとなる。特に、前記取着部材が軸部材であって、受け部材が軸受部材である場合には、台座に取り付けた磯根資源増殖ブロックが回動して磯根資源増殖空間が適切な形状を維持できなくなる虞があるが、この位置決め部によって端部の磯根資源増殖ブロックを固定することで、平面的に整列させた全磯根資源増殖ブロックの回動を抑制することができる。
【００２２】
また、このような増殖礁は、砂地盤であって磯根資源の成長に必要な岩礁の隙間や既存の藻場が少ない海底に設置することが好ましいが、この場合に台座の安定設置を図るためには、台座の下端部に、海底の砂地地盤に突き刺さる複数の脚部を形成すればよい。
【００２３】
このような脚部を台座に形成すれば、磯根資源増殖ブロックを設置するための配置部を台座の上端部側に形成し、その配置部の下面側における前記脚部の内側に、魚類、例えば通常は岩礁に棲息するカサゴ、タイ、メバル、ヒラメ等の隠れ場所となる魚礁空間を形成することができるため、この増殖礁において、磯根資源の増殖に加えて魚類の増殖、或いは更に藻類の増殖をも図ることが可能となる。そして、磯根資源増殖空間と魚礁空間とを連通させて、磯根資源増殖空間内で成長した磯根資源の漁獲を簡便化するとともに、磯根資源増殖空間への好適な潮通りを確保するには、台座の上端部側において並列状又は格子状をなすように配置部を形成し、その配置部に磯根資源増殖空間が上方に入口を有し下方に出口を有するように磯根資源増殖ブロックを配置して、磯根資源増殖空間と魚礁空間とを上下に連通させように構成することが適している。
【００２４】
また、増殖礁において増殖する磯根資源、藻類、魚介類を、他の補食生物から効率的に防御するには、増殖礁を磯根資源増殖ブロック、又は磯根資源増殖ブロック及び藻類増殖部材を上方及び側方から覆い、且つ通水性を有する防護部材を設けたものとするとよい。
【発明の効果】
【００２５】
本発明の磯根資源増殖ブロックは、主体となるコンクリートブロック製の本体部の外面に一方向へ傾斜するテーパ面を形成したものであり、斯かる複数の磯根資源増殖ブロックをテーパ面同士が対面するように隣接配置することで、このテーパ面を有する外面同士の間に、入口が磯根資源の稚体の通過を許容する程度に狭く出口が磯根資源の成体が定住し得る程度に広い磯根資源増殖空間を形成した増殖礁を構成することができる。このような増殖礁では、海底においてアワビ、トコブシ、サザエ、ウニ、イセエビ等の磯根資源を稚体から成体まで好適に増殖させ、成長後の漁獲を行うことが可能であり、特にこれらの磯根資源の養殖に用いるのに適している。すなわち、複数の磯根資源増殖ブロック間に形成された磯根資源増殖空間は、入口側で狭く開口し出口側で広く開口する形状を有するので、磯根資源が稚体のうちは入口側で棲息してタコやヒトデ等の外敵から身を守ることができ、成体に成長するにつれて出口側へと移動するため、漁獲されるまでの間の長期間に亘って磯根資源増殖空間に定住させることができる。また、各磯根資源増殖ブロックは、コンクリート製品として製造する場合に、本体部の外面にテーパ面を形成しておくだけで、隣接し合う磯根資源増殖ブロック間に磯根資源増殖空間を形成することが可能であるため、稚体の体長に適した狭いスリットを形成する必要がなく、簡易に製造することができる。さらに、このような磯根資源増殖ブロックを海底に設置される台座に取り付けたり、磯根資源増殖ブロックに藻類増殖部材を取り付けることで、磯根資源だけでなく、他の魚介類や藻類の増殖をも可能とする多機能で優れた増殖礁を得ることができる。
【発明を実施するための最良の形態】
【００２６】
以下、本発明の一実施形態を、図面を参照して説明する。
【００２７】
図１、図２、図３に示す本実施形態は、アワビ、トコブシ、サザエ、ウニ、イセエビ等の磯根資源を稚体から成体まで生育させ増殖させ、アラメ、カジメ、クロメ、ホンダワラ等の海藻類（以下、「藻類」）を増殖させ、カサゴ、タイ、メバル、ヒラメ等の魚介類を増殖させることを目的として、海底に沈設して使用される増殖礁１である。増殖礁１は、自然の岩礁帯が存在していない砂地盤の海底に沈設される構造物であるが、好ましくは既に良好な漁場となっている岩礁帯の近くの砂地盤に設置される。本実施形態では増殖礁１を、磯根資源の育成・増殖を主目的とする磯根資源増殖ブロック２と、藻類を増殖させて藻場を形成することを主目的とする藻類増殖部材３（本実施形態では２種類の藻類増殖部材３'、３"を用いるが、総称する場合は符号３を用いる）と、海底に設置されて前記磯根資源増殖ブロック２及び藻類増殖部材３を支持する台座４とを主たる構成要素として備えてなるものとしている。
【００２８】
まず磯根資源増殖ブロック２には、図１〜図４に示すように、２種類の形態（２'、２''）を有するもの（以下、総称する場合は符号２を用いる）があるが、これらは何れも共通する構成として、コンクリート製ブロックからなる本体部２１を主体としている。図５｛（ａ）に斜視図、（ｂ）に正面図｝に示すように本体部２１は、平面視ほぼ正方形の平板の下に、下面２１ｂを上面２１ａよりも小さいほぼ正方形状とした正四角錐台を一体に連続させた形状をなしている。すなわち本体部２１は、４つの起立する外側面２１ｃを有しているが、各外側面２１ｃのうち前記平板の外側面に該当する部位はほぼ鉛直方向に起立する起立面２１ｄとなっており、正四角錐台の外側面に該当する部分は上方から下方へ漸次内側に傾斜するテーパ面２１ｅとなっている。なお、本体部２１の大きさは適宜に設定することができるが、本実施形態では例えば上面２１ａの一辺を約５００ｍｍ、下面２１ｂの一辺を約３５０ｍｍ、全体の高さ寸法を約３５０ｍｍ（その内訳として、平板部分が約１００ｍｍ、正四角錐台部分が約２５０ｍｍ）としている。また、本体部２１の外側面２１ｃの上端部側、すなわち平板部分における４つの起立面２１ｄのうち隣り合う２つの外側面２１ｄには、さらに外方へ突出する突起部２２を設けている。本実施形態では突起部２２として、例えば半径約３０ｍｍの半球形状をコンクリート塊を採用しており、この突起部２２を本体部２１の製造時に同時に形成するようにしている。なお、２つの起立面２１ｄにおける突起部２２の数や位置には特に制限はないが、本実施形態においては２つの起立面２１ｄの両側端部且つ上端部にそれぞれ２つの突起部２２を設けている。また、本体部２１の上面２１ａの中央部には、別の磯根資源増殖ブロック２"を載置して取り付けるための受け部として円筒状の軸受部２３を形成している。なお、磯根資源増殖ブロック２'上に他の磯根資源増殖ブロック２"を載置しない場合には、この軸受部２３を利用してフック２５を取り付けることで、磯根資源増殖ブロック２"の海底への沈設又は海底からの回収作業の便宜を図り得るようにしている。さらに、本体部２１の下面２１ｂの中央部には、当該磯根資源増殖ブロック２'をその下側に配置される台座４や他の磯根資源増殖ブロック２に取り付けるための取着部として軸部材２４を下方に突出させて設けている。この軸部材２４は、例えば図８にも示すような先端を尖らせた金属棒からなり、本体部２１の内部に深く差し込まれたアンカー筋２４ａと共に本体部２１に固定されている。
【００２９】
このような構成の磯根資源増殖ブロック２'は、所定の型枠を用いたコンクリート製品として工場生産されるものであるが、本体部２１及び突起部２２のコンクリート組成を、セメント、石炭灰、骨材、水としている。特に石炭灰はセメントの一部に代替して用いられ例えば火力発電所から排出されたフライアッシュ、クリンカアッシュ、流動床灰（ＰＦＢＣ灰）等の何れかを適用することができる。なお、磯根資源増殖ブロック２における本体部２１等のコンクリート組成は、重量比で例えば粉体（セメント４０％、石炭灰６０％）、水３０％としている。また、磯根資源増殖ブロック２'の製造時には、本体部２１のコンクリート組成が硬化する前に、上述した軸部材２４やアンカー筋２４ａのみならず後述する他の部材が本体部２１に埋め込まれることになる。
【００３０】
本実施形態の増殖礁１にはこのような基本構成を有する磯根資源増殖ブロック２'の他に、若干の部材を付加した磯根資源増殖ブロック２'も使用している。すなわち磯根資源増殖ブロック２"は、図６（ａ）（ｂ）に示すように、上述した磯根資源増殖ブロック２'の本体部２１における上面２１ａに、藻類増殖部材３を取り付けるための取付部として、ボルト２６を起立姿勢で突出させて埋設したものである。本実施形態ではこのボルト２６を４本均等に配置している。また、本体部２１の上面２１に形成した軸受部２３には、上述したようにフック２５を埋め込んでいる。
【００３１】
藻類増殖部材３は、磯根資源増殖ブロック２と同様に工場生産されるコンクリート板からなるものである。本実施形態では、例えば一辺約２００ｍｍの平面視正方形状をなす藻類増殖部材３'（図６（ａ））と、長辺約２５０ｍｍＸ短辺約１００ｍｍの平面視長方形状をなす藻類増殖部材３''（図６（ｂ））の２種類の形状のものを採用している。また、これら藻類増殖部材３'、３"の厚さは、何れも例えば約５０ｍｍとしている。さらに、藻類増殖部材３'、３"の中央部には、肉厚を貫通させた貫通孔３１'、３１"を形成しており、これら貫通孔３１'、３１"に前記ボルト２６を挿通させた状態で藻類増殖部材３'、３"を磯根資源増殖ブロック２'に載置して、そのボルト２６の上端部に樹脂製の蝶型ナット３２を螺着している。また、藻類増殖部材３のコンクリート組成は、磯根資源増殖ブロック２の本体部２１と同様に、重量比で例えば例えば粉体（セメント４０％、石炭灰６０％）、水３０％としている。このような藻類増殖部材３は、表面に藻類を着生させていない状態で磯根資源増殖ブロック２''に装着して潮流に流されてくる藻類の胞子や遊走子を着床させるようにしてもよいし、予め海中又は陸上水槽中で中間育成した藻類を表面に活着させた状態で磯根資源増殖ブロック２''に装着してもよい。また、藻類増殖部材３上での藻類の増殖を積極的に行わせるべく、藻類の胞子や遊走子を付着させた種糸を予め藻類増殖部材３に巻き付けておいてもよい。なお、藻類増殖部材３の形状は上述したものに限られず、例えば上面に凹凸を形成しておき、藻類が根を張って活着しやすいような構成としておくこともできる。
【００３２】
台座４は、海底において長期に亘り安定した設置状態を維持することができる程度の大きさ及び重量を有する大型のコンクリート構造物である。具体的にこの台座４は、図７にも示すように、例えば平面視六角形状をなす枠状本体４１と、この枠状本体４１の６つのコーナー部分から斜め下外方へ突出させた合計６本の脚部４２と、枠状本体４１の一対の内側面間に渡した横桟４３とを、セメント、骨材及び水をコンクリート組成として一体に製造したものである。ここで脚部４２の下端から枠状本体４１の上端までの高さ寸法を例えば約９００ｍｍとしており、脚部４２が海底の砂地盤に突き刺さってもなお枠状本体４１の下端が海底よりも高位置に位置付けられるようにしている。また、枠状本体４１と同程度の太さを有する横桟４３を、所定間隔を空けて並列的に４本設けており、横桟４２同士の間に、例えば約８０ｍｍの広さのスリット４ｓを形成している。各横桟４３は、磯根資源増殖ブロック２を配置するための配置部として機能するものであり、磯根資源増殖ブロック２の配置位置として長手方向に沿って一直線状に複数（図示例では４つ）の穴４３ａを上方へ開放するように形成しており、磯根資源増殖ブロック２の軸部材２４を受け入れて固定するための受け部として軸受部材４４を各穴４３ａに連通するように横桟４３内に埋め込んである。ここで軸受部材４４としては、図８に示すように、内部に挿入された軸部材２４を抜脱し難いように係合させる複数のバネワッシャ４４ｂを備えた椀型の軸受本体４４ａを、円盤状の補強板４４ｃ及びアンカー筋４４ｄと共に横桟４３内に埋設したものを採用している。また、両端の横桟４３の外側に位置する枠状本体４１の上面には、後述のように横桟４３上に配置されることになる複数の磯根資源増殖ブロック２のうち端部に配置される磯根資源増殖ブロック２"の位置決めを行い且つ固定する４つの位置決め部４５を設けている。この位置決め部は、Ｌ型鋼材を内角側が内側を向くように起立させた状態で枠状本体４１に埋め込んだものである。そして、本実施形態ではこのような台座４は、増殖礁１の設置海域近くの海辺において所定の型枠を用いて製造される。
【００３３】
以上のような構成の各部は、次のようにして海中に設置され増殖礁１を形成することになる。まず、台座４を製作した後、陸上でクレーンで磯根資源増殖ブロック２を順次台座４まで吊り下ろし、台座４の横桟４３に形成した穴４３ａに軸部材２４を上方から挿入することにより、その軸部材２４を軸受部材２４のバネワッシャ４４ｂに係合させる。その際、本実施形態では４本の横桟４３に各４つの穴４３ａ及び軸受部材４４を前後左右に等間隔で設けてあるため、横桟４３上には合計１６個の磯根資源増殖ブロック２がほぼ正方形升目状にの配置されることになる。ここで、これら１６個の磯根資源増殖ブロック２のうち内側４個の磯根資源増殖ブロック２の上にはそれぞれ１つずつ別の磯根資源増殖ブロック２を載置し、平面視ロ字型をなす外周側１２個の磯根資源増殖ブロック２の上には藻類増殖部材３を載置することとしているため、基本構造を有する磯根資源増殖ブロック２'を内側の４個に適用し、ボルト２６を設けた磯根資源増殖ブロック２"を外側の１２個に適用している。また、磯根資源増殖ブロック２'に載置される上段側の４個については、磯根資源増殖ブロック２"を適用している。下段側の１６個の磯根資源増殖ブロック２の配置順については、例えば図２に示される紙面左上部の磯根資源増殖ブロック２'をその一角がＬ字鋼材からなる位置決め部４５の内角側に対面させるように横桟４３に設置し、続いて隣接することになる磯根資源増殖ブロック２'又は磯根資源増殖ブロック２"を順次設置していくとよい。このようにすることで、横桟４３に設置済の磯根資源増殖ブロック２の隣に次の磯根資源増殖ブロック２を並べる際に、設置済の磯根資源増殖ブロック２における半球状の突起部２２が、隣の磯根資源増殖ブロック２との間のスペースを確保するための機能を発揮するだけでなく、隣の磯根資源増殖ブロック２の所定配置位置へのガイドとして機能するとともに、本体部２１の破損防止用プロテクターとしても機能することとなる。また、上段側の磯根資源増殖ブロック２"についても同様にすればよい。このように配置された複数（合計２０個）の磯根資源増殖ブロック２は、平面視升目状をなして整列した状態となる。このような配置のため、磯根資源増殖ブロック２に軸部材２４及び軸受部材４４を中心とする水平回転力が作用しても、磯根資源増殖ブロック２は隣の磯根資源増殖ブロック２の突起部２２に当接して回転に対する抑止力が働くため、升目状の配置が乱れることはない。特に、下段側の磯根資源増殖ブロック２のうち、コーナー部分に配置された４個の磯根資源増殖ブロック２"は、位置決め部４５によって位置決めされ且つ水平回転不能に固定されているため、回転の抑制はさらに確実なものとなる。また、下段側における外周側の磯根資源増殖ブロック２"には平面視正方形状の藻類増殖部材３'を４個ずつ載置した状態で、上段側における磯根資源増殖ブロック２"には平面視長方形状の藻類増殖部材３"を４個ずつ載置した状態で、それぞれボルト２６に蝶型ナット３２を螺着することで、各藻類増殖部材３を固定する。なお、磯根資源増殖ブロック２"を予め取り付けた状態で藻類増殖部材３を海底の台座４に固定するようにしても構わない。以上のように、台座４に磯根資���増殖ブロック２を全て設置後、台船等に載せて増殖礁１の設置海域まで運搬し、海底に沈設する。
【００３４】
このようにして海底に設置された増殖礁１では、図９に一部を拡大して示すように、隣接する磯根資源増殖ブロック２の起立面２１ｄ及びテーパ面２１ｅからなる外側面２１ｃ同士の間に、上方に狭く開口し下方に広く開口した縦断面視ラッパ状の空間が形成されており、本実施形態ではこの空間を磯根資源増殖空間Ｓ１としている。この磯根資源増殖空間Ｓ１の上端側の開口広さは突起部２２の本体部２１からの突出長さ（約３０ｍｍ）にほぼ一致しており、下端側の開口広さは対向するテーパ面２１ｅの下端間距離に一致している。また、磯根資源増殖空間Ｓ１は下端側において、台座４の隣接する横桟４３同士の間に形成されたスリット４ｓに連通している。さらに、台座４の脚部４２の下端側は海底ＳＢの砂地盤に突き刺さっているが、この脚部４２の高さによって嵩上げされて横桟４３の下面が海底ＳＢから浮上して位置付けられるため、複数の脚部４２の内側において枠状本体４１及び横桟４３の下面と海底ＳＢとの間に、高さは低いが水平方向に広がった空間が形成され、本実施形態ではこの空間を魚礁空間Ｓ２としている。すなわち、磯根資源増殖空間Ｓ１、スリット４ｓ、魚礁空間Ｓ２は一体に連通していることになり、この連続した空間に上下に海水が流通する。
【００３５】
このような増殖礁１は、磯根資源増殖空間Ｓ１、スリット４ｓ及び魚礁空間Ｓ２を利用した磯根資源（例えばアワビＡ１、サザエＡ２、ウニＡ３、イセエビ（図示省略）等）の稚体から成体までの増殖、藻類増殖部材３を利用した藻類Ｂ（例えばアラメ、カジメ、クロメ、ホンダワラ等）の増殖繁茂による藻場形成、魚礁空間Ｓ２等を利用した魚介類（例えばヒラメＣ１、その他の魚Ｃ２等）の増殖が可能である。例えばアワビＡ１の養殖にこの増殖礁１を利用する場合、体長約３ｃｍまで成長したアワビの稚貝Ａ１ａを増殖礁１の上から放流すると、稚貝Ａ１ａは自身の体長に合った広さのスペースを求めて移動して、磯根資源増殖空間Ｓ１内に上端側の開口から入り込み、磯根資源増殖ブロック２の本体部２１における上端側の起立面２１ｄに付着する。このように狭い磯根資源増殖空間Ｓ１の上端側の開口であればそれを入口として稚貝Ａ１ａは簡単に入ることができるが、タコやヒトデ等の外敵にとっては狭すぎて稚貝Ａ１ａを補食することができないので、稚貝Ａ１ａは磯根資源増殖空間Ｓ１内で安全に成長することができる。そして、成長して体長が大きくなるに従ってアワビＡ１ｂは本体部２１のテーパ面２１ｅへと下方へ移動し、成体まで成長したアワビＡ１ｃは横桟４３間のスリット４ｓや魚礁空間Ｓ２内に定住することになる。このスリット４ｓや魚礁空間Ｓ２は人間が手を伸ばすには十分な広さがあるので、成体となったアワビＡ１ｃを漁獲することができる。また、詳述しないがサザエＡ２やウニＡ３、その他イセエビ等の磯根資源についても同様のことがいえる。なお、磯根資源増殖ブロック２の主材料であるコンクリートの組成に含ませた石炭灰は、カルシウム成分を多量に含有しているため、それが海中に滲出すると、磯根資源の成長にも役立つ。また、磯根資源増殖ブロック２上の藻類増殖部材３には、藻類Ｂが増殖して藻場を形成するためプランクトンが多く蝟集し、これが磯根資源や小魚Ｃ３の餌となるとともに、繁茂した藻類は小魚Ｃ３の良好な隠れ場所にもなる。仮に藻類Ｂが枯死してしまったような場合には、藻類増殖部材３を磯根資源増殖ブロック２から取り外して新たなものと交換すればよい。さらに、比較的広いスペースである魚礁空間Ｓ２やスリット４ｓには小型ないし中型の魚介類の隠れ場所となり、特に上方が枠状本体４１や横桟４３で陰となった海底ＳＢは、ヒラメＣ１にとって絶好の生息地となる。このように、本実施形態の増殖礁１は、磯根資源、藻類、魚介類を増殖させて良好な漁場を創設するのに大いに寄与するものである。
【００３６】
また、本実施形態の増殖礁１で成長、増殖、定住する磯根資源、藻類、魚介類が、比較的大型の補食生物によって食害され難いようにするには、磯根資源増殖ブロック２及び藻類増殖部材３をカゴやアミ、フェンス等の通水性を有する防護部材で覆えばよい。その一例として図１０に示す防護部材５は、台座４の枠状本体４１に４本の柱５１を立設するとともに柱５１間に桟５２を渡してフレームを形成し、そのフレームにフェンス５３を取り付けたものである。このようにすることで、内部の磯根資源、藻類、魚介類は増殖礁１内でより安全に定住できることとなる。
【００３７】
なお、本発明は上述した実施形態に限られるものではない。例えば、複数の磯根資源増殖ブロックのみから増殖礁を構成したり、複数の磯根資源増殖ブロックと藻類増殖部材とから増殖礁を構成することも可能である。これらの場合、磯根資源増殖ブロックを直接海底に設置したり、自然の岩礁に設置すればよい。また、磯根資源増殖ブロック、藻類増殖部材、台座の具体的形状や構成、その他各部の具体的構成等についても本発明の趣旨を逸脱しない範囲で種々変形が可能である。
【図面の簡単な説明】
【００３８】
【図１】本発明の一実施形態に係る増殖礁を示す斜視図。
【図２】同増殖礁を示す平面図。
【図３】同増殖礁を示す正面図。
【図４】同増殖礁を図２においてＸ−Ｘ線で破断して示す縦断面図。
【図５】同増殖礁に適用される磯根資源増殖ブロックを示す図。
【図６】同増殖礁に適用される磯根資源増殖ブロック及び藻類増殖部材を示す斜視図。
【図７】同増殖礁に適用される台座を示す平面図。
【図８】同増殖礁における台座、磯根資源増殖ブロック、及び藻類増殖部材の取付状態を示す断面図。
【図９】同増殖礁を部分的に拡大してその機能を模式的に示す説明図。
【図１０】同増殖礁に防護部材を設けた状態を示す斜視図。
【符号の説明】
【００３９】
１…増殖礁
２…磯根資源増殖ブロック
３…藻類増殖部材
４…台座
５…防護部材
２１…本体部
２１ｃ…外面（外側面）
２１ｅ…テーパ面
２２…突起部
２３…受け部（軸受部）
２４…取着部（軸部材）
２６…取付部（ボルト）
４２…脚部
４３…配置部（横桟）
４４…受け部（軸受部材）
４５…位置決め部
【図１】
2005210976.tif 000003
【図２】
2005210976.tif 000004
【図３】
2005210976.tif 000005
【図４】
2005210976.tif 000006
【図５】
2005210976.tif 000007
【図６】
2005210976.tif 000008
【図７】
2005210976.tif 000009
【図８】
2005210976.tif 000010
【図９】
2005210976.tif 000011
【図１０】
2005210976.tif 000012